(57)【特許請求の範囲】
【請求項１】
中央部に貫通孔を有し、所望位置に固定されている金型受け台と、
金型受け台上に取り付けられ、中央部に貫通孔を有する型抜き用金型と、
型抜き用金型に接近しまたそれから離れる方向に移動可能なプレス盤と、
金型受け台の前記プレス盤と反対の方向に配置され、プレス盤に接近しまたそれから離れる方向に移動可能な型抜き製品受け台と、
型抜き製品受け台上に取り付けられ、前記金型受け台の貫通孔及び前記金型の貫通孔を通過可能な天盤付き部材と、
前記プレス盤を前記金型に向けて移動させるための第１の駆動手段と、
前記型抜き製品受け台を前記プレス盤に向けて移動させるための第２の駆動手段とを備え、
前記天盤付き部材の天盤の上面を前記金型の上端面よりも上方に突出させた状態で、その天盤の上面と前記プレス盤の下面との間に複数枚の用紙を積層して配置し、
前記第２の駆動手段を作動させて前記型抜き製品受け台に一定の保持力を与えたまま、前記第１の駆動手段を作動させて前記プレス盤を前記金型に向けて前記第２の駆動手段の保持力以上の力でもって移動させることによって、前記天盤と前記プレス盤との間に挟圧された積層用紙を前記金型でもって押し抜くようにした、
紙押抜きプレス装置。
【請求項２】
前記天盤付き部材の天盤は、前記型抜き用金型の貫通孔の形状と相似した形状とした、請求項１に記載の紙押抜きプレス装置。
【請求項３】
前記金型受け台の貫通孔の内壁面内にライトを設け、そのライトの照射により前記型抜き用金型の形状を明確にするようにした、請求項１または２に記載の紙押抜きプレス装置。
【発明の詳細な説明】
【０００１】
【発明の属する分野】
本発明は、型抜き用金型により紙を押抜いて所望形状の紙製品を得るための紙押抜きプレス装置に関するものである。
【０００２】
【従来の技術】
従来の紙押抜きプレス装置としては、例えば、図７、図８に示したように、作業台Ａ上に載置した積層用紙Ｂの上に載置した型抜き用金型Ｄをプレス版で押圧して押抜いて所望形状の紙製品Ｂ１を得るものが知られている。
【０００３】
前記図７は、押抜き作業の準備状態を表わす断面図で、作業台Ａ上には積層用紙Ｂが載置され、他方、型抜き用金型Ｄはその上に載置されている。
【０００４】
前記図８は、この準備状態（図７参照）から型抜き用金型Ｄによる押抜き作用が開始され、型抜き用金型Ｄが積層用紙Ｂ（図７参照）を順次押抜いている状態を示す断面図で、押抜かれた所望形状の紙製品Ｂ１が型抜き用金型Ｄ内に嵌入するものであり、その後、紙製品Ｂ１が型抜き用金型Ｄから取り出され、他方、切り落しＢ２が型抜き用金型Ｄの外側に沿って退避する。
【０００５】
【発明が解決しようとする課題】
上記従来の紙押抜きプレス装置においては、型抜き用金型Ｄ内に紙製品が滞留する構造のため、積層用紙Ｂの積層量は型抜き用金型Ｄの高さ内に止めねばならなかった。
【０００６】
本発明は、このような従来の紙押抜きプレス装置の有する問題に鑑みてなされたもので、積層用紙の積層量を増大させても確実な押抜きがなされ、質の高い多量の紙製品を生産し得る紙押抜きプレス装置を提供するものである。
【０００７】
【課題を解決するための手段】
本願の請求項１に係る発明は、貫通孔を備えた型抜き用金型と貫通孔を有する金型受け台と前記型抜き用金型に対して移動可能なプレス盤とが備えられた紙押抜きプレス装置となし、積層用紙の一裁断量の増大を図り、所望位置に固定されている金型受け台に対して移動可能な型抜き製品受け台と該型抜き製品受け台に着脱自在に固設し得る天盤付き部材とを備え、前記型抜き製品受け台には該天盤付き部材が前記の型抜き用金型と金型受け台の貫通孔に嵌入し得るように固設し、前記天盤付き部材の天盤により積層用紙を挾圧・保持しながら漸次押抜くように前記型抜き製品受け台を作用させる紙押抜きプレス装置となし、極めて確実で、かつ、安定した裁断作用を得ることにある。
本願の請求項２に係る発明は、天盤付き部材の天盤を、型抜き用金型の貫通孔の形状と相似した形状とした請求項１記載の紙押抜きプレス装置とした。この型抜き用金型の貫通孔の断面は天盤の外形よりも僅かに大きくする。
本願の請求項３に係る発明は、金型受け台が有する貫通孔の側壁内にライトを設けた請求項１または２記載の紙押抜きプレス装置 となし、該ライトの照射により前記型抜き用金型の形状を明確にして積層用紙を簡易に位置調整し得るようにしたものである。
【０００８】
【発明の実施の形態】
以下、図面により本発明の実施形態について説明する。
図１は、本発明の紙押抜きプレス装置１の正面図で、一部の断面図を含んでおり、押抜かれる積層用紙Ｂが準備された状態を示す図である。
【０００９】
前記図１に示す紙押抜きプレス装置１は、貫通孔３１を備えた型抜き用金型３と、天盤４１付き部材４２が嵌入自在であり、かつ、その側壁内にライト１０が設けられる貫通孔２１を備えられ、更に、型抜き用金型３が着脱自在に固設された金型受け台２と、金型受け台２および型抜き用金型３の各貫通孔２１、３１内に嵌入自在な天盤４１付き部材４２が着脱自在に固設された上で型受け台２の下方に位置して第２流体シリンダー９、９により上下移動される型抜き製品受け台４と、第１流体シリンダー８により型抜き用金型３に対して垂直に移動されるプレス盤５と、前記の各部材２、５を案内するガイド支柱６、６と、前記ガイド支柱６、６の上部を固定する支持盤１５と、前記部材４を案内するガイド支柱７、７と、製品化すべき積層用紙Ｂを型抜き用金型３に対して位置決めする左側および後側ガイド１１、１２等から構成されており、前記ガイド支柱７、７の下部を固定基礎１６に固設することにより立設される。
【００１０】
この図１のごとく構成された紙押抜きプレス装置１によって積層用紙Ｂを製品化するには、先ず、型抜き製品受け台４とプレス盤５とを各流体シリンダー９、９、８により各ガイド支柱７、７、６、６を介して上昇させるが、プレス盤５の前記上昇は、所定部位に位置決めされている金型受け台２上に載置固定された型抜き用金型３の先端３２とプレス盤５のプレス面５１間に積層用紙Ｂを載置するために必要な離間距離を得ることであり、他方、型抜き製品受け台４の前記上昇は、載置固定された天盤４１付き部材４２の天盤４１の上端面を、金型受け台２の貫通孔２１および型抜き用金型３の貫通孔３１を通して型抜き用金型３の先端３２よりもやや上方に突出させる位置に持ち来すことであり、かつ、前記天盤４１付き部材４２の天盤４１と前記プレス盤５のプレス面５１との間で積層用紙Ｂを挾圧して保持することである。
【００１１】
次に、ライト１０を型抜き用金型３の貫通孔３１内からその先端３２に向けて照射して型抜き用金型３の内側形状を明確にして置き、予め印刷等により前記型抜き用金型３の内側形状と同形状に表示されてある一枚の積層用紙Ｂを操作して、前記型抜き用金型３の先端３２とほぼ面一に位置決めされた天盤４１の上端面４２上にこれらの形状が合致するように載置した後、左側および後側ガイド１１、１２を前記一枚の積層用紙Ｂ端部に位置合わせして他の所望量の積層用紙Ｂを前記各ガイド１１、１２に沿って積載・位置決めし、第１流体シリンダー８によるプレス盤５の下降を行う。
【００１２】
前記プレス盤５が下降されると、積層用紙Ｂは、始めに第２流体シリンダー９、９によって一定の保持力が付与されている天盤４１付き部材４２の天盤４１の上端面とプレス盤５のプレス面５１にて挾圧・保持され、次いで第２流体シリンダー９、９よりも大きな出力能力のある第１流体シリンダー８により、前記第２流体シリンダー９、９の一定の保持力に打ち勝ちながら前記プレス盤５を更に下降させることとなる。
【００１３】
図２は、前記のごときプレス盤５の更なる下降による裁断状態を示す正面図であり、前記図１に示したものと同一の構成が採用され、プレス盤５と型抜き製品受け台４は支持盤１５と固定基礎１６間に配設された各ガイド支柱６、６、７、７により移動可能になっている。
【００１４】
前記図２に従って本発明の紙押抜きプレス装置１による積層用紙の裁断作用を述べると、積層用紙（図１の符号Ｂを参照されたい）は、型抜き製品受け台４上に固設された天盤４１付き部材４２とプレス盤５間で第２流体シリンダー９、９によって一定の保持力が付与された状態を持続しながら、第１流体シリンダー８によるプレス盤５の下降に伴って下降されて型抜き用金型３に押圧され、型抜き用金型３および金型受け台２の各貫通孔２１、３１内に嵌入する紙製品Ｂ１と金型受け台２外面に沿いつつ排除される切り落しＢ２とに裁断される。
【００１５】
前記図２のごとき積層用紙の裁断終了状態下では、第２流体シリンダー９、９は、プレス盤５への第１流体シリンダー８による出力が解除されない限り、紙製品Ｂ１および天盤４１付き部材４２を介して一定の保持力が付与されたままで伸張している。
【００１６】
次に、各貫通孔２１、３１から前記の紙製品Ｂ１を取り出すこととなるが、先ず第１流体シリンダー８の出力を解除する。この解除によって第２流体シリンダー９、９の一定の保持力よりも大きな出力が排除されることとなり、該第２流体シリンダー９、９が自体の一定の保持力に基づいて縮小して元位置（図１に示した部位を参照されたい）に復帰し、この復帰作用により天盤４１付き部材４２も上昇して紙製品Ｂ１のみが各貫通孔２１、３１から上方に脱出されることとなる。
【００１７】
前記の紙製品Ｂ１の脱出が終了した後には第１流体シリンダー８を操作してプレス盤５を所定部位まで上昇させて製品Ｂ１から離間させ、該紙製品Ｂ１を紙押抜きプレス装置１外に取り出すこととなる。
【００１８】
なお、前記の第１流体シリンダー８の操作に換え、プレス盤５を積層用紙の裁断終了部位から前記の紙製品Ｂ１取り出し部位まで一貫して上昇させるように第１流体シリンダー８を操作しても良い。
【００１９】
図３は前記図１のイーイ断面から視た図であり、型抜き用金型３は紙製品が嵌入する貫通孔３１を備えるとともに確実な裁断をなすために錐体状の断面が採用され、該型抜き用金型３が着脱自在に固設される金型受け台２はガイド支柱６、６に挿通するガイド孔２２、２２と、積層用紙を位置決めする左側および後側ガイド１１、１２が位置調整可能に備えてあり、天盤４１付き部材４２が各貫通孔２１、３１に嵌入自在に位置している。なお、前記部材４２における天盤４１と型抜き用金型３における貫通孔３１の断面とは積層用紙に表示した形状に相似するものであることは勿論のことで、積層用紙の裁断作用を得べく型抜き用金型３における貫通孔３１の断面が天盤４１の外形よりも僅かな大きさを有している。
【００２０】
図４は前記図１のロ−ロ断面から視た図であり、前記の左側および後側ガイド１１、１２のプレス盤５に対する構成について示すものである。プレス盤５には、ガイド１１、１２が該プレス盤５における直交する中央線の夫々に進退可能となる長孔１３、１３を形成し、ガイド溝としている。このガイドの移動操作はハンドル１７、１８により行う。
【００２１】
図５は、本発明の紙押抜きプレス装置に適用される積層用紙Ｂを示す平面図であり、積層用紙Ｂには印刷等により所望の形状（例えば、団扇型）Ｂ３が表示されている。
【００２２】
また、図６は、本発明の紙押抜きプレス装置により押抜かれて作製された紙製品Ｂ１を示す平面図であり、その形状は前記図５の積層用紙Ｂに表示した所望の形状（例えば、団扇型）Ｂ３である。
【００２３】
【発明の効果】
以上のとおりの構造である本発明の紙押抜きプレス装置は、貫通孔を備えた型抜き用金型が貫通孔を有する金型受け台に載置・固定され、前記型抜き用金型にプレス盤が相対移動する構造を採用していることから、積層用紙をより高く積層して型抜き用金型の高さより高い積層用紙を裁断することが出来、しかも、上下移動可能な型抜き製品受け台に天盤付き部材を着脱自在に固設した構造を採用していることから、裁断される積層用紙が天盤とプレス盤のプレス面間で常に挾圧・保持されて極めて確実で、かつ、安定した裁断作用が得られる他、裁断後の製品を再び、裁断前のもとの位置にまで押し上げた後、挾圧状態を解放するので、製品の取り出しが極めて容易に行なえるものである。また、金型受け台が有する貫通孔の側壁内にライトを設けたことから、該ライトの照射により前記型抜き用金型の形状を明確にして積層用紙を簡易に位置調整し得、質の高い紙製品が得られる優れた効果を達成し得るものである。
なお、本装置は紙だけでなく、布、皮革、合成樹脂の裁断にも使用可能である。
【図面の簡単な説明】
【図１】本発明の紙押抜きプレス装置の正面図である。
【図２】本発明の紙押抜きプレス装置の裁断状態を示す正面図である。
【図３】図１の発明の紙押抜きプレス装置におけるイ−イ断面から視た図である。
【図４】図１の発明の紙押抜きプレス装置におけるロ−ロ断面から視た図である。
【図５】本発明の紙押抜きプレス装置に適用される積層用紙を示す平面図である。
【図６】本発明の紙押抜きプレス装置により押抜かれて作製された紙製品を示す平面図である。
【図７】従来の紙押抜きプレス装置による押抜き作業の準備状態を表わす断面図である。
【図８】従来の紙押抜きプレス装置により順次押抜いている状態を示す断面図である。
【符号の説明】
Ａ  作業台
Ｂ  積層用紙
Ｂ１  紙製品
Ｂ２  切り落し
Ｂ３  積層用紙に印刷等により表示した所望の形状
Ｃ  底板
Ｄ  型抜き用金型
１  紙押抜きプレス装置
２  金型受け台
２１、３１  貫通孔
２２  ガイド孔
３  貫通孔を備えた型抜き用金型
３２  型抜き用金型の先端
４  型抜き製品受け台
４１  天盤
４２  天盤付き部材
５  プレス盤
５１  プレス盤のプレス面
６、７  ガイド支柱
８  第１流体シリンダー
８１  第１流体シリンダーのプレス軸
９  第２流体シリンダー
１０  ライト
１１  左側ガイド
１２  後側ガイド
１３  ガイド溝
１４  天盤と貫通孔との形状の差
１５  支持盤
１６  固定基礎
１７  左側ガイド調節ハンドル
１８  後側ガイド調節ハンドル
【図１】
0004113608.tif 000002
【図２】
0004113608.tif 000003
【図３】
0004113608.tif 000004
【図４】
0004113608.tif 000005
【図５】
0004113608.tif 000006
【図６】
0004113608.tif 000007
【図７】
0004113608.tif 000008
【図８】
0004113608.tif 000009